(57)【要約】【課題】時間や手間がかかることなく、光ケーブルを容易に接続させたり取り外したりすることができるとともに、伝送損失を抑制でき、且つ、ユーザの目に優しいメディアコンバーターを提供する。【解決手段】メディアコンバーター４０の筐体側面４１ａには、コネクタ挿入部４３が凹状に形成されており、そのコネクタ挿入部４３には、信号が入出力される入出力部４５が形成されている。また、コネクタ挿入部４３の開口４４には、コンバーター用蓋４７が開閉自在に取り付けられている。【選択図】図５
2007094151.tif 000002
【特許請求の範囲】
【請求項１】
光ケーブルの端部に取り付けられたコネクタが接続され、該コネクタを介して入力された信号を処理して出力する信号処理装置であって、
前記信号を処理する信号処理部を取り囲む筐体と、
前記コネクタが挿入可能となるように筐体側面に形成され、内部に前記信号が入出力される入出力部を有する挿入部と、
前記挿入部の開口に開閉自在に取り付けられた装置用蓋と
を備えていることを特徴とする信号処理装置。
【請求項２】
請求項１に記載の信号処理装置であって、
前記装置用蓋は、前記コネクタが前記挿入部に挿入されるときに開かれ、前記コネクタが前記挿入部から取り出されるときに閉じられるように構成されていることを特徴とする信号処理装置。
【請求項３】
請求項１または２に記載の信号処理装置において、
前記挿入部は、前記筐体側面に形成された凹部であることを特徴とする信号処理装置。
【請求項４】
請求項１または２に記載の信号処理装置において、
前記入出力部は、前記筐体側面に形成され、
前記挿入部は、前記筐体側面に形成された筒であることを特徴とする信号処理装置。
【請求項５】
請求項１から４の何れか一つに記載の信号処理装置において、
前記装置筐体には、前記光ケーブルの一部を固定する固定具が設けられていることを特徴とする信号処理装置。
【請求項６】
請求項１から５の何れか一つに記載の信号処理装置において、
メディアコンバーターであることを特徴とする信号処理装置。
【請求項７】
請求項１から６の何れか一つに記載の信号処理装置と、光ケーブルとを備えている信号処理システムであって、
前記光ケーブルは、
信号を伝送するケーブル部と、
前記ケーブル部の端部に取り付けられたコネクタと、
前記コネクタの表面に形成され、前記信号処理装置の前記入出力部と信号の送受信を行う送受信部と、
前記送受信部が覆われる閉位置と該送受信部が露出される開位置とに開閉自在に設けられたケーブル用蓋とを有することを特徴とする信号処理システム。
【請求項８】
請求項７に記載の信号処理システムにおいて、
前記光ケーブルの前記ケーブル用蓋は、前記信号処理装置に接続されるときに前記開位置に配置され、該信号処理装置との接続が解除されたときに前記閉位置に配置されることを特徴とする信号処理システム。
【発明の詳細な説明】
【技術分野】
【０００１】
本発明は、信号処理装置及び信号処理システムに関し、特に、光ケーブルの端部に取り付けられたコネクタが接続され、コネクタを介して入力された信号を処理して出力する信号処理装置及びその信号処理装置を有する信号処理システムに関する。
【背景技術】
【０００２】
光通信システムの開発により、光ケーブル内に光を伝達させて信号を送受信する場合がある。
【０００３】
例えば、特許文献１には、光ケーブルの一端部にコネクタが接続されたコネクタ付き光ケーブルが開示されている。このコネクタ付き光ケーブルは、シース内に一対のテンションメンバと光ファイバとを有する光ケーブルと、フェルールとテンションメンバが固定される固定部とを有するコネクタとを備えている。そして、光ケーブルの一端部の光ファイバは、シースより分離されてフェルールに接続されている。また、光ケーブルの一端部のテンションメンバは、分離されて分離テンション部分を形成しており、その分離されたテンションメンバは、固定部に固定され、光ケーブルにおける分離テンション部分の根元部近傍にシースの分離の進行を防ぐ破断規制部材が設けられている。これにより、光ケーブルの引っ張り強度が十分であり、光ケーブルの一対の分離テンション部分と露出心線とに分離した分離領域は適度に設定された長さを維持し、ブーツを伴った分離部分の外観を良好に維持できる、と記載されている。
【０００４】
また、特許文献２には、コネクタのロック部分に取り付けられた着脱可能なスリーブホルダを通線用工具と着脱可能な状態で接続した牽引端を有する光ファイバケーブルが開示されている。これにより、ケーブルを通線する場合に、ケーブル構成材料を破損することなく通線できる、と記載されている。
【０００５】
このようなコネクタ付き光ケーブルを用いれば、メディアコンバーターなどの信号処理装置の入出力部に光ケーブルのコネクタ（接続部）を接続することができ、その結果、光ケーブル内を送信された信号を信号処理装置に入力したり、信号処理装置からの出力信号を送信させて別の装置に入力させたりすることができる。
【特許文献１】特開２００３−２８７６５２号公報
【特許文献２】特開２００３−３２２７２７号公報
【発明の開示】
【発明が解決しようとする課題】
【０００６】
ところで、メディアコンバーターでは、入出力部は、コンバーター内部に配置されている場合が多い。そのため、入出力部にコネクタを接続させる際、及び入出力部からコネクタを取り外す際には、コンバーター筐体を開けてその作業を行う。よって、その作業は、時間や手間がかかる。時間や手間を省くためには、入出力部は、筐体側面に設けられていることが好ましい。
【０００７】
一方、入出力部が筐体側面に設けられると、入出力部に空気中の粉塵などが付着する虞があり、その結果、伝送損失が招来される。また、メディアコンバーターとコネクタとの接続が緩ければ、伝送されている光がその接続箇所から漏れてしまい、その漏れ光がユーザなどの目に入る虞があり、危険である。
【０００８】
本発明は、かかる点に鑑みてなされたものであり、その目的とするところは、時間や手間がかかることなく光ケーブルを容易に接続させたり取り外したりすることができるとともに、入出力部への粉塵の付着を防止でき、且つ、利用者にとって安全な信号処理装置及び信号処理システムを提供することにある。
【課題を解決するための手段】
【０００９】
本発明の信号処理装置は、光ケーブルの端部に取り付けられたコネクタが接続され、コネクタを介して入力された信号を処理して出力する。そして、信号処理装置は、信号を処理する信号処理部を取り囲む筐体と、コネクタが挿入可能となるように筐体側面に形成され、内部に信号が入出力される入出力部を有する挿入部と、挿入部の開口に開閉自在に取り付けられた装置用蓋とを備えている。
【００１０】
上記の構成では、装置用蓋が、挿入部の開口に開閉自在に設けられている。そのため、装置用蓋を開けて光ケーブルを接続でき、光ケーブルを取り外した後には装置用蓋を閉じることができる。よって、筐体を取り外すことなく、光ケーブルを信号処理装置に接続させたり、その接続を解除させることができる。これにより、手間や時間が掛かることなく、光ケーブルを信号処理装置に接続させたり、その接続を解除することができる。
【００１１】
また、光ケーブルとの接続が解除されているときには、装置用蓋を閉じておくことができる。そのため、入出力部に空気中の粉塵が付着する虞を低くすることができる。
【００１２】
また、入出力部が挿入部内に形成されているため、信号処理装置と光ファイバとの接続があまく、その結果、接続箇所から光が漏れたとしても、その漏れ光がユーザなどの目に入ってしまう虞は低い。よって、ユーザにとって安全である。
【００１３】
本発明の信号処理装置では、装置用蓋は、コネクタが挿入部に挿入されるときに開かれ、コネクタが挿入部から取り出されるときに閉じられるように構成されていることが好ましい。
【００１４】
後述の好ましい実施形態では、挿入部は、筐体側面に形成された凹部である。また、別の好ましい実施形態では、入出力部は、筐体側面に形成され、挿入部は、筐体側面に形成された筒である。
【００１５】
また、本発明の信号処理装置では、装置筐体には、光ケーブルの一部を固定する固定具が設けられていることが好ましい。このような構成により、光ケーブルの折曲を防止できるため、伝送損失の発生や光ケーブルの接続解除を防止できる。
【００１６】
また、本発明の信号処理装置は、メディアコンバーターであることが好ましい。
【００１７】
本発明の信号処理システムは、本発明の信号処理装置と、光ケーブルとを備えている。
光ケーブルは、信号を伝送するケーブル部と、ケーブル部の端部に取り付けられたコネクタと、コネクタの表面に形成され、信号処理装置の入出力部と信号の送受信を行う送受信部と、送受信部が覆われる閉位置と送受信部が露出される開位置とに開閉自在に設けられたケーブル用蓋とを有する。
【００１８】
上記の構成では、本発明の信号処理装置を備えているため、本発明の信号処理装置と略同一の効果を奏する。
【００１９】
その上、光ケーブルは、ケーブル用蓋を備えているため、コネクタに空気中の粉塵が付着することを防止することができる。その結果、さらに、伝送損失を抑制することができる。
【００２０】
また、本発明の信号処理システムでは、光ケーブルのケーブル用蓋は、信号処理装置に接続されるときに開位置に配置され、信号処理装置との接続が解除されたときに閉位置に配置されることが好ましい。
【発明の効果】
【００２１】
本発明では、時間や手間がかかることなく光ケーブルを容易に接続させたり取り外したりすることができるとともに、入出力部への粉塵の付着を防止でき、且つ、利用者にとって安全である。
【発明を実施するための最良の形態】
【００２２】
以下、本発明の実施形態を図面に基づいて詳細に説明する。なお、本発明は、以下に示す実施形態に限定されるものではない。
【００２３】
《発明の実施形態１》
実施形態１では、メディアコンバーターを信号処理装置の例として挙げて、図１乃至図５を用いて、信号処理システム１００の構成、光ケーブル１０の構成、メディアコンバーター４０の構成及びメディアコンバーター４０に光ケーブル１０を接続する方法を示す。なお、図１は、信号処理システム１００の構成を示す斜視図である。図２は、光ケーブル用蓋１６が開位置にあるときの光ケーブル１０の斜視図であり、図３は、光ケーブル用蓋１６が閉位置にあるときの光ケーブル１０の斜視図である。図４は、図２におけるIV−IV線での断面図である。図５は、メディアコンバーター４０の挿入部の拡大図である。
【００２４】
まず、信号処理システム１００の構成を示す。
【００２５】
信号処理システム１００は、図１に示すように、光ケーブル１０とメディアコンバーター４０とを備え、光ケーブル１０のコネクタ１３がメディアコンバーター４０のコネクタ挿入部（挿入部）４３に挿入されて構成されている。そして、光ケーブル１０のケーブル部１１の一部は、メディアコンバーター４０の筐体側面４１ａに取り付けられた固定具４２に固定されている。
【００２６】
次に、光ケーブル１０の構成を示す。
【００２７】
光ケーブル１０は、図２及び図３に示すように、ケーブル部１１と、コネクタ１３と、送受信部１５と、コネクタ嵌合部１４と、ケーブル用蓋１６とで構成されている。
【００２８】
ケーブル部１１は、図４に示すドロップケーブルであり、１本の光ファイバ２と、２本のテンションメンバ３，３と、共通被覆４とで構成されている。テンションメンバ３，３は、各々、光ファイバ２から所定距離隔てた上下に配置され、ケーブル部１１における張力を保つ。共通被覆４は、光ファイバ２とテンションメンバ３，３との外周に施されている。
【００２９】
コネクタ１３は、ケーブル部１１の一端部に取り付けられており、略四角柱状であり、メディアコンバーター４０の入出力部４５と接続されるように構成されている。
【００３０】
送受信部１５は、メディアコンバーター４０の入出力部４５に嵌合されるコネクタの面（以下、「コネクタ端面」という。）１３ａから突設されており、光ケーブル１０内を伝送された光がメディアコンバーター４０へ送信されたり、メディアコンバーター４０からの出力光を受信するように構成されている。
【００３１】
コネクタ嵌合部１４は、コネクタ収容部１４ａと、ケーブル嵌合部１４ｂとを有している。コネクタ収容部１４ａは、コネクタ１３の一部が収容可能に形成されており、ケーブル嵌合部１４ｂは、ケーブル部１１が嵌合可能に形成されている。
【００３２】
光ケーブル用蓋１６は、図３に示すように、蝶番部１８，１８を介してコネクタ収容部１４ａの上面の端部と連結されている。また、光ケーブル用蓋１６の内面は、図２に示すように、弾性体１９，１９を介してコネクタ嵌合部１４に連結されている。これにより、光ケーブル用蓋１６は、弾性体１９，１９に抗して、蝶番部１８，１８を回動軸として開かれて送受信部１５を露出し、弾性体１９，１９の復元力に従って、蝶番部１８，１８を回動軸として閉じられて送受信部１５を覆うように構成されている。
【００３３】
続いて、メディアコンバーター４０の構成を示す。
【００３４】
メディアコンバーター４０は、図１及び図５に示すように、筐体４１と固定具４２とコネクタ挿入部４３と入出力部４５とコンバーター用蓋（装置用蓋）４７とを備えている。
【００３５】
筐体４１は、信号処理部４０ａやそれ以外の電気回路などを保護するための外箱であり、固定具４２は、図１に示すように、螺子（不図示）などにより筐体側面に固定されており、光ケーブル１０のケーブル部１１の一部が筐体側面４１ａに固定されるように構成されている。
【００３６】
コネクタ挿入部４３は、筐体側面４１ａに、光ケーブル１０のコネクタ１３が挿入可能な大きさの凹状に形成されている。
【００３７】
入出力部４５は、コネクタ挿入部４３の開口４４に対向する面に光ケーブル１０の送受信部１５と嵌合可能に形成されており、メディアコンバーター４０からの光を出力したり、光ケーブル１０内を伝送された光を入力するように構成されている。
【００３８】
コンバーター用蓋４７は、開口４４と略同形に形成されている。その上辺部４７ａは、蝶番部４８，４８を介してコネクタ挿入部４３の開口周縁上部４４ａに取り付けられている。また、その内壁面は、弾性体４９，４９を介して、コネクタ挿入部４３の内壁上面に連結されている。これにより、コンバーター用蓋４７は、弾性体４９，４９に抗して、蝶番部４８，４８を回動軸としてコネクタ挿入部４３の内部へ回動されて開かれ、弾性体４９，４９の復元力に従って、蝶番部４８，４８を回動軸としてコネクタ挿入部４３の開口４４を閉じるように構成されている。
【００３９】
続いて、光ケーブル１０をメディアコンバーター４０に接続する方法、及びメディアコンバーター４０から取り外す方法を示す。
【００４０】
接続する際には、まず、光ケーブル１０の光ケーブル用蓋１６を開く。具体的には、弾性体１９，１９に抗して、蝶番部１８，１８を回動軸として光ケーブル用蓋１６を回動させ、送受信部１５を露出させる。
【００４１】
次に、コネクタ端面１３ａをコンバーター用蓋４７に当接させる。すると、コンバーター用蓋４７は、弾性体４９，４９に抗して、蝶番部４８，４８を回動軸としてコネクタ挿入部４３の内部へ回動される。そして、入出力部４５に送受信部１５を嵌合させ、固定具４２に光ケーブル１０のケーブル部１１の一部を固定する。これにより、光ケーブル１０内を伝送された信号がメディアコンバーター４０に入力可能となり、また、メディアコンバーター４０で処理された信号が出力可能となる。
【００４２】
取り外す際には、固定具４２からケーブル部１１を取り外す。その後、入出力部４５と送受信部１５との接続を解除し、コネクタ挿入部４３からコネクタ１３を取り出す。すると、コンバーター用蓋４７は、弾性体４９，４９の復元力に従って、コネクタ挿入部４３の開口４４を塞ぎ、光ケーブル用蓋１６は、弾性体１９，１９の復元力に従って、送受信部１５を覆う位置に戻る。
【００４３】
ここで、メディアコンバーター４０と比較するため、従来のメディアコンバーターの構成を示す。
【００４４】
従来のメディアコンバーターは、筐体と入出力部とを備えており、入出力部は筐体の内部にある。そのため、従来のメディアコンバーターに光ケーブルを接続する際には、筐体を取り外す必要があった。従って、従来のメディアコンバータに光ケーブルを接続するためには、時間及び手間がかかるとともに、専門知識も必要であった。
【００４５】
一方、本実施形態におけるメディアコンバーター４０では、入出力部４５は、コネクタ挿入部４３の一側面に形成されており、コネクタ挿入部４３は、光ケーブル１０のコネクタ１３が挿入可能な大きさに形成されている。そのため、従来のメディアコンバータと異なり、光ケーブル１０を接続したり取り外したりする際には、筐体４１を取りはずすなどの時間及び手間を掛けることなく、簡便に行うことができる。また、筐体４１を取り外す必要がないため、専門知識を持っていない人間でも、メディアコンバーター４０に光ケーブル１０を接続したり、その接続を解除したりすることができる。
【００４６】
また、入出力部４５は、光ケーブル１０が接続されていないときには、コンバーター用蓋４７で覆われている。よって、空気中の粉塵などが、入出力部４５に付着する虞は極めて低く、その結果、付着した粉塵などによる乱反射に起因する伝送損失を抑制することができる。
【００４７】
また、入出力部４５は、コネクタ挿入部４３内で光ケーブル１０の送受信部１５と接続される。そのため、光ケーブル１０との接続があまく、その結果、伝送された光が漏れてしまった場合であっても、漏れ光がユーザなどの目に入る危険性は低い。よって、メディアコンバーター４０は、ユーザや作業員にとって優しい。
【００４８】
また、コンバーター用蓋４７の内面は、弾性体４９，４９を介してコネクタ挿入部４３の内壁上面に連結されている。そのため、コンバーター用蓋４７は、光ファイバ１０のコネクタ１３がコネクタ挿入部４３に挿入されることにより、弾性体４９，４９に抗して開かれ、コネクタ１３がコネクタ挿入部４３から取り出されることにより、弾性体４９，４９の復元力に従って閉じられる。すなわち、コンバーター用蓋４７は、自動的に閉じられるように構成されている。
【００４９】
また、筐体側面４１ａには、固定具４２が取り付けられている。そのため、光ファイバ２の折曲を防止できるとともに、接続中に光ケーブル１０が外れてしまうことを防止できる。
【００５０】
本実施形態における信号処理システム１００は、上述のメディアコンバーター４０を備えているため、上述の効果と略同様の効果を示す。それに加え、光ケーブル１０が光ケーブル用蓋１６を備えているため、送受信部１５においても、空気中の粉塵の付着を防止することができる。また、光ケーブル用蓋１６は、弾性体１９，１９を介してコネクタ嵌合部１４と連結されているため、コネクタ１３をコネクタ挿入部４３から取り出すことにより閉じられる。すなわち、光ケーブル用蓋１６は、自動的に元の位置に戻る。
【００５１】
なお、メディアコンバーター４０のコンバーター用蓋４７の構成は、以下の第１及び第２の変形例に示す構成であってもよい。
【００５２】
（第１の変形例）
図６を用いて、第１の変形例におけるメディアコンバーター１４０のコンバーター用蓋１４７の構成を示す。図６は、本変形例におけるコンバーター用蓋１４７の斜視図である。
【００５３】
メディアコンバーター１４０の筐体側面１４１ａには、上記実施形態１と同様、コネクタ挿入部４３が形成されており、コネクタ挿入部４３の開口４４には、コンバーター用蓋１４７が取り付けられている。
【００５４】
コンバーター用蓋１４７は、図６に示すように、上側蓋部１４６と下側蓋部１４８とで構成されている。上側蓋部１４６の上辺部１４６ａは、蝶番部１４２，１４２を介してコネクタ挿入部４３の開口周縁上部４４ａに取り付けられ、その内面は、弾性体４９，４９を介してコネクタ挿入部４３の内壁上面に連結されている。同様に、下側蓋部１４８の上辺部１４８ａは、蝶番部１４２，１４２を介してコネクタ挿入部４３の開口周縁下部４４ｂに取り付けられ、その内面は、弾性体４９，４９を介してコネクタ挿入部４３の内壁上面に連結されている。これにより、上側蓋部１４６は、蝶番部１４２，１４２を回動軸として、弾性体４９，４９に抗してコネクタ挿入部４３の内部に回動可能に形成され、下側蓋部１４８は、蝶番部１４２，１４２を回動軸として、弾性体４９，４９の復元力に従ってコネクタ挿入部４３の内部に回動可能に形成されている。
【００５５】
メディアコンバーター１４０に上記実施形態１の光ケーブル１０を接続する際には、光ケーブル用蓋１６を開いてから、コネクタ端面１３ａをコンバーター用蓋１４７に当接させて、コネクタ１３をコネクタ挿入部４３に挿入させる。すると、上側蓋部１４６は、弾性体４９，４９に抗して、蝶番部１４２，１４２を回動軸としてコネクタ挿入部４３の内部へ回動され、下側蓋部１４８は、弾性体４９，４９に抗して、蝶番部１４２，１４２を回動軸としてコネクタ挿入部４３の内部へ回動される。その後、入出力部（不図示）と送受信部１５とを接続する。
【００５６】
メディアコンバーター１４０から上記実施形態１の光ケーブル１０を取り外す際には、入出力部と送受信部１５との接続を解除して、コネクタ挿入部４３からコネクタ１３を取り外す。すると、上側及び下側蓋部１４６，１４８は、各々、弾性体４９，４９，…の復元力に従って、元の位置に戻る。
【００５７】
以上より、本変形例は、上記実施形態１と略同一の効果を奏する。
【００５８】
（第２の変形例）
図７を用いて、第２の変形例におけるメディアコンバーター２４０のコンバーター用蓋２４７の構成を示す。図７は、本変形例におけるコンバーター用蓋２４７の斜視図である。
【００５９】
メディアコンバーター２４０の筐体側面２４１ａには、上記実施形態１と同様、コネクタ挿入部４３が形成されており、コネクタ挿入部４３の開口４４には、コンバーター用蓋２４７が取り付けられている。
【００６０】
コンバーター用蓋２４７の上辺部２４７ａは、図７に示すように、蝶番部２４８，２４８を介してコネクタ挿入部４３の開口周縁上部４４ａに連結されている。すなわち、コンバーター用蓋２４７は、蝶番部２４８，２４８を回動中心として、コネクタ挿入部４３の外部に回動可能に構成されている。
【００６１】
メディアコンバーター２４０に上記実施形態１の光ケーブル１０を接続する際には、光ケーブル用蓋１６を開いてから、蝶番部２４８，２４８を回動中心としてコンバーター用蓋２４７をコネクタ挿入部４３の外側へ回動させる。そして、コネクタ１３をコネクタ挿入部４３に挿入して、入出力部（不図示）と送受信部１５とを接続する。
【００６２】
メディアコンバーター２４０から光ケーブル１０を取り外す際には、入出力部（不図示）と送受信部１５との接続を解除して、コネクタ１３をコネクタ挿入部４３から抜き出す。そして、蝶番部２４８，２４８を回動中心としてコンバーター用蓋２４７を回動させる。そして、光ケーブル用蓋１６を閉じる。
【００６３】
以上より、本変形例は、上記実施形態１と略同一の効果を奏する。
【００６４】
《発明の実施形態２》
実施形態２では、図８及び９を用いて、光ケーブル２０の構成とメディアコンバーター５０の構成と光ケーブル２０をメディアコンバーター５０に接続させる方法とを示す。図８は、光ケーブル２０の縦断面図であり、図９は、メディアコンバーター５０の一部の断面図である。
【００６５】
信号処理システムは、上記実施形態１における信号処理システムと略同一であり、図８に示す光ケーブル２０と図９に示すメディアコンバーター５０とで構成されている。
【００６６】
光ケーブル２０は、図８に示すように、上記実施形態１に記載の光ケーブル用蓋１６の代わりに、筒状の保護部２７を備えている。保護部２７は、コネクタ１３の側面の外側に配置され、ケーブル長手方向に伸縮自在な伸縮部材で形成されている。
【００６７】
メディアコンバーター５０は、上記実施形態１に記載のメディアコンバーター４０と同様、筐体５１とコネクタ挿入部５３と入出力部５５とコンバーター用蓋５７とを備えているが、筐体５１及びコンバーター用蓋５７の構成を上記実施形態１と異にする。
【００６８】
筐体５１は、コネクタ挿入部５３の開口（不図示）上方の内壁面に、収容部５２を備えている。収容部５２は、コンバーター用蓋５７が開かれたときに、そのコンバーター用蓋５７を収容するように形成されている。
【００６９】
コンバーター用蓋５７は、コネクタ挿入部５３の開口と略同形に形成されており、その下部表面には、突起部５７ａが形成されている。
【００７０】
メディアコンバーター５０に光ケーブル２０を接続する際には、まず、保護部２７を長手方向に伸縮させて、送受信部１５を露出させる。
【００７１】
次に、突起部５７ａを持って、コンバーター用蓋５７を上方へ移動させ、収容部５２に収容させる。そして、入出力部５５に送受信部１５を嵌合させる。
【００７２】
一方、メディアコンバーター５０から光ケーブル２０を取り外す際には、入出力部５５と送受信部１５との接続を解除し、コネクタ挿入部５３からコネクタ１３を取り出す。すると、コンバーター用蓋５７は、重力に従って元の位置に戻る。そして、保護部２７を長手方向に延長させる。
【００７３】
本実施形態は、上記実施形態１と同様の効果を奏する。
【００７４】
なお、勿論、収容部５２は、コネクタ挿入部５３の開口下方の内壁面、開口の左方の内壁面または、開口の右方向の内壁面に形成されていてもよい。すなわち、メディアコンバーターに光ケーブルを接続する際に、コンバーター用蓋５７は、下方へ移動するように構成されていてもよく、左方に移動するように構成されていてもよく、右方へ移動するように構成されていてもよい。
【００７５】
《発明の実施形態３》
実施形態３では、図１０及び１１を用いて、光ケーブル３０の構成とメディアコンバーター６０の構成と光ケーブル３０をメディアコンバーター６０に接続させる方法とを示す。図１０は、光ケーブル３０の縦断面図であり、図１１は、メディアコンバーター６０の一部の断面図である。
【００７６】
信号処理システムは、上記実施形態１における信号処理システムと略同一であり、図１０に示す光ケーブル３０と図１１に示すメディアコンバーター６０とで構成されている。
【００７７】
光ケーブル３０は、上記実施形態１に記載の光ケーブル１０と、光ケーブル用蓋３７の構成を異にする。光ケーブル用蓋３７は、樹脂製であり、図１０に示すように、送受信部１５のみを覆うように形成されており、コード３８を介してコネクタ１３に連結されている。
【００７８】
メディアコンバーター６０は、上記実施形態１に記載のメディアコンバーター４０と、入出力部６５、コネクタ挿入部６３及びコンバーター用蓋６７の構成を異にする。
【００７９】
入出力部６５は、筐体側面６１ａ上に形成されている。
【００８０】
コネクタ挿入部６３は、入出力部６５を囲むように形成された筒である。
【００８１】
コンバーター用蓋６７は、コネクタ挿入部６３の開口に嵌合可能に形成されており、コード６８を介して筐体側面６１ａに連結されている。
【００８２】
接続する際には、光ケーブル用蓋３７を取り外した後、コンバーター用蓋６７を取り外してコネクタ１３をコネクタ挿入部６３に挿入させる。そして、入出力部６５に送受信部１５を嵌合させる。一方、取り外す際には、入出力部６５と送受信部１５との接続を解除した後、コネクタ１３をコネクタ挿入部６３から取り外す。そして、コンバーター用蓋６７でコネクタ挿入部６３の開口を蓋するとともに、光ケーブル用蓋３７で送受信部１５を蓋する。
【００８３】
本実施形態は、上記実施形態１と同様の効果を奏する。
【００８４】
また、光ケーブル用蓋３７は、コード３８を介して、ケーブル部１１、または、コネクタ１３に連結されている。そのため、取り外した蓋を紛失する虞はない。
【００８５】
また、入出力部６５は、筐体側面６１ａに形成されている一方、筒状のコネクタ挿入部６３により保護されているため、通信用の光が外部に漏れる虞は極めて低い。そのため、上記実施形態１から３のような、コネクタ挿入部４３が筐体側面３１ａに凹部状に形成されている場合と同様、通信損失を低く抑えることができる。
【００８６】
なお、光ケーブル用蓋３７は、コード３８を介してケーブル部１１に連結されていてもよい。
【００８７】
《その他の実施形態》
本発明は、以下のような構成としてもよい。
【００８８】
上記実施形態１に記載の光ケーブル１０を上記実施形態２または３に記載のメディアコンバーター５０，６０に接続させてもよいし、上記実施形態２に記載の光ケーブル２０を上記実施形態１または３に記載のメディアコンバーター４０，６０に接続させてもよいし、上記実施形態３に記載の光ケーブル３０を上記実施形態１または２に記載のメディアコンバーター４０，５０に接続させてもよい。光ケーブルとメディアコンバーターとの組み合わせは、特に、限定されない。
【００８９】
コンバータ用蓋４７，５７は、閉位置と開位置とに開閉可能に形成されていればよい。また、弾性体４９，４９がなくても本願の課題を解決することができるが、弾性体４９，４９を備えていると、コンバーター用蓋４７，５７を閉位置に戻す手間を省くことができるため、好ましい。
【００９０】
同様に、光ケーブル用蓋１６は、閉位置と開位置とに開閉可能に形成されていればよい。また、弾性体１９，１９がなくても本願の課題を解決することができるが、弾性体１９，１９を備えていると、光ケーブル用蓋１６を閉位置に戻す手間を省くことができるため好ましい。
【００９１】
ケーブル部１１はドロップケーブルであるとしたが、光ケーブルの構成は特に限定されない。
【００９２】
固定具４２の形状は、特に限定されず、例えば、筐体側面に取り付けられたフック状部材であってもよい。
【産業上の利用可能性】
【００９３】
以上説明したように、本発明は、メディアコンバータ及びそのメディアコンバーターを備えた信号処理システムについて有用である。
【図面の簡単な説明】
【００９４】
【図１】実施形態１における信号処理システム１００を示す斜視図である。
【図２】実施形態１における光ケーブル１０のケーブル用蓋１６が開いているときの斜視図である。
【図３】実施形態１における光ケーブル１０のケーブル用蓋１６が閉じているときの斜視図である。
【図４】図２に示すIV−IV線断面における断面図である。
【図５】実施形態１におけるメディアコンバーター４０のコネクタ挿入部４３の拡大斜視図である。
【図６】実施形態１の第１変形例におけるメディアコンバーター１４０のコネクタ挿入部４３の拡大斜視図である。
【図７】実施形態１の第２変形例におけるメディアコンバーター２４０のコネクタ挿入部４３の拡大斜視図である。
【図８】実施形態２における光ケーブル２０の縦断面図である。
【図９】実施形態２におけるメディアコンバーター５０のコネクタ挿入部５３の拡大斜視図である。
【図１０】実施形態３における光ケーブル３０の縦断面図である。
【図１１】実施形態３におけるメディアコンバーター６０のコネクタ挿入部６３の拡大斜視図である。
【符号の説明】
【００９５】
１０，２０，３０    光ケーブル
１１    ケーブル部
１３    コネクタ
１５    送受信部
１６    ケーブル用蓋
４０，５０，６０    メディアコンバーター（信号処理装置）
４１，５１，６１    筐体
４１ａ，５１ａ，６１ａ    筐体側面
４３，５３，６３    コネクタ挿入部（挿入部）
４４    開口
４５，５５，６５    入出力部
４７，５７，６７，１４７，２４７    コンバーター用蓋（装置用蓋）
１００    信号処理システム
【図１】
2007094151.tif 000003
【図２】
2007094151.tif 000004
【図３】
2007094151.tif 000005
【図４】
2007094151.tif 000006
【図５】
2007094151.tif 000007
【図６】
2007094151.tif 000008
【図７】
2007094151.tif 000009
【図８】
2007094151.tif 000010
【図９】
2007094151.tif 000011
【図１０】
2007094151.tif 000012
【図１１】
2007094151.tif 000013